(57)【要約】  無線通信システムは、複数の通信装置を含む。ＲＦトランシーバーは、伝送器およびそれぞれ関連する通信装置から信号を受信する複数の受信器を含む。拡張ノードＢ（Ｅｎｈａｎｃｅｄ  Ｎｏｄｅ  Ｂ：ｅＮＢ）は、他入力他出力（Ｍｕｌｔｉｐｌｅ−Ｉｎｐｕｔ  Ｍｕｌｔｉｐｌｅ−Ｏｕｔｐｕｔ：ＭＩＭＯ）システムにおける複数の通信装置と通信可能である。ｅＮＢは、制御情報を伝送するように構成される伝送器および複数のアンテナを含む。リファレンス信号受信電力（Ｒｅｆｅｒｅｎｃｅ  Ｓｉｇｎａｌ  Ｒｅｃｅｉｖｅｄ  Ｐｏｗｅｒ：ＲＳＲＰ）は、考慮される測定周波数帯域幅におけるセルに特有のリファレンス信号を搬送するリソース要素の電力の寄与（［Ｗ］）の線形平均である。本発明は、ＬＴＥ測定のＲＳＲＰの精度のテストケースのための無線リソース管理（ＲＲＭ）のさらに強化された非ＣＡベースのＩＣＩＣのセル間における交換に関する。【選択図】図４
2017509225.tif 000002
【特許請求の範囲】
【請求項１】
ＬＴＥ測定のＲＳＲＰの精度のための非ＣＡベースのＩＣＩＣを使用する無線通信システムのための無線通信方法であって、
ＲＳＲＰの同一周波数内測定テストのＲＳＲＰの精度のために、第１の周波数を有するサービングセルと、第２の周波数を有する近傍のアグレッサーセルとを切り換えることを含む無線通信方法。
【請求項２】
前記ＲＳＲＰの精度は、絶対精度である請求項１に記載の方法。
【請求項３】
前記ＲＳＲＰの精度は、相対精度である請求項１に記載の方法。
【請求項４】
前記サービングセルの前記第１の周波数を切り換えてテストし、前記近傍のアグレッサーセルの前記第２の周波数を切り換えてテストすることをさらに含む請求項１に記載の方法。
【請求項５】
ｅＮＢおよびマルチモードＵＥを有する無線通信システムのための無線通信方法であって、
伝送器によって、周期的な測定を送信することと、
信号強度を測定し、前記測定は前記マルチモードＵＥに測定レポートを送信させる条件を生成することと、
受信器によって、サービングセルおよび近傍のセルから前記マルチモードＵＥによって受信される信号の測定に関し、セルを交換するためのパラメータを含むレポートを受信することと、を含む無線通信方法。
【請求項６】
前記測定は周期的である請求項５に記載の方法。
【請求項７】
複数の通信装置を含む無線通信システムであって、
伝送器および複数の受信器を含むＲＦトランシーバーと、
ＭＩＭＯシステムにおいて前記複数の通信装置と通信するように構成され、制御情報を伝送するように構成される伝送器および複数のアンテナを含むｅＮＢと、を有し、
セルは、ＬＴＥ測定のＲＳＲＰの精度のテストケースのためのＲＲＭのさらに強化された非ＣＡベースのＩＣＩＣにおいて交換されるように構成される無線通信システム。
【請求項８】
前記ＲＳＲＰの精度は、絶対精度である請求項７に記載の無線通信システム。
【請求項９】
前記ＲＳＲＰの精度は、相対精度である請求項７に記載の無線通信システム。
【発明の詳細な説明】
【技術分野】
【０００１】
本発明は、ＬＴＥ測定のＲＳＲＰの精度のテストケースのための無線リソース管理（ＲＲＭ）のさらに強化された非ＣＡベースのＩＣＩＣ（Ｒａｄｉｏ  Ｒｅｓｏｕｒｃｅ  Ｍａｎａｇｅｍｅｎｔ  （ＲＲＭ）  Ｆｕｒｔｈｅｒ  Ｅｎｈａｎｃｅｄ  Ｎｏｎ  ＣＡ−ｂａｓｅｄ  ＩＣＩＣ  ｆｏｒ  ＬＴＥ  ｍｅａｓｕｒｅｍｅｎｔ  ＲＳＲＰ  ａｃｃｕｒａｃｙ  ｔｅｓｔ  ｃａｓｅｓ）のセル間における交換のための方法に関する。サービングセル（ＰＣｅｌｌ）および近傍のアグレッサーセルは、ＲＳＲＰの同一周波数内測定テストの絶対精度のために切り替えられる。サービングセル（ＰＣｅｌｌ）および近傍のアグレッサーセルは、ＲＳＲＰの同一周波数内測定テストのＲＳＲＰの相対精度のために切り替えられる。具体的には、本発明は、ＬＴＥ測定のＲＳＲＰの精度のテストケースのためのさらに強化された無線リソースの非ＣＡベースのＩＣＩＣのセル間において交換するための方法に関する。
【背景技術】
【０００２】
携帯電話、ハンドヘルド装置、ラップトップコンピューターに埋め込まれた装置、機械対機械装置（Ｍ２Ｍ）、および同様の装置などの無線通信機能を有する装置は、本書においてユーザー機器（ＵＥ）と称される。
【０００３】
無線通信は、連続的に進化している。従来不可能であったサービスを提供する先進技術機器が多数存在する。この先進技術機器は、たとえば、従来の無線電気通信システムにおける同等の機器よりも高度に発展した基地局またはその他のシステムおよび装置のみならず、たとえば拡張ノードＢ（ｅＮｏｄｅＢ：Ｅｎｈａｎｃｅｄ  Ｎｏｄｅ  Ｂ）を含んでもよい。このような先端のまたは次世代の機器は、本明細書において、高速パケットアクセス（ＨＳＰＡ：Ｈｉｇｈ  Ｓｐｅｅｄ  Ｐａｃｋｅｔ  Ａｃｃｅｓｓ）機器およびロングタームエボリューション（ＬＴＥ：Ｌｏｎｇ  Ｔｅｒｍ  Ｅｖｏｌｕｔｉｏｎ）機器等と称される。
【０００４】
従来の無線通信システムにおいて、基地局の伝送装置は、ある地理的領域に信号を送信し、「セル」と称される。ＬＴＥおよび他の高度な機器においては、ＵＥが無線通信ネットワークにアクセスできる領域は、たとえば、「ホットスポット」等の異なる名前で称されることがある。本明細書において、「セル」という用語は、ＵＥの種類に関わらず、領域が従来のセルであるかｅＮＢのようなＬＴＥ機器によって提供される領域であるかに関わらず、ＵＥが無線通信ネットワークにアクセスできる領域、または無線通信が利用可能な他の領域を指す。
【０００５】
異種ネットワーク（ＨｅｔＮｅｔ）は、様々な無線アクセス技術を有するインフラポイントからなるネットワークであり、それらの各々が異なる能力、制約、および処理機能を有する。ＨｅｔＮｅｔｓは、マクロセル、遠隔無線ヘッド、およびピコセル、フェムトセルおよびリレーなどの低出力ノードの混合からなる。
【０００６】
アクセスネットワークおよびエンドユーザ間の近接を増加させてネットワークトポロジに影響を及ぼすことは無線ネットワークの次の重要なパフォーマンスの飛躍を提供する可能性を有し、空間スペクトルの再利用を向上させて屋内のカバレージを高める。
【０００７】
異なるＵＥは、無線通信ネットワークにアクセスするために異なる種類の無線通信技術（ＲＡＴ：Ｒａｄｉｏ  Ａｃｃｅｓｓ  Ｔｅｃｈｎｏｌｏｇｙ）を使用することがある。マルチモードＵＥ等と称されるＵＥは、複数のＲＡＴを使用して通信することができる。たとえば、マルチモードＵＥは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：汎用モバイル通信システム）や、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）の帯域や他の無線方式等の一つ以上の異なるシステムのうちの、少なくとも一つのモードからサービスを受けられるＵＥを含むことができる。本明細書において定められるように、マルチモードＵＥは、全ての目的のために参照により本明細書に含まれる、３ＧＰＰ（３ｒｄ  Ｇｅｎｅｒａｔｉｏｎ  Ｐａｒｔｎｅｒｓｈｉｐ  Ｐｒｏｊｅｃｔ）、Ｔｅｃｈｎｉｃａｌ  Ｓｐｅｃｉｆｉｃａｔｉｏｎ  Ｇｒｏｕｐ（ＴＳＧ）  Ｔｅｒｍｉｎａｌｓ、Ｍｕｌｔｉ−Ｍｏｄｅ  ＵＥ  Ｉｓｓｕｅｓ、Ｃａｔｅｇｏｒｉｅｓ、Ｐｒｉｎｃｉｐｌｅｓ  ａｎｄ  Ｐｒｏｃｅｄｕｒｅｓ（３Ｇ  ＴＲ  ２１．９１０）において定義または提供されるいかなる種類のマルチモードＵＥでもよい。ＲＡＴまたは異なる種類のＲＡＴを使用しうるネットワーク技術の例は、ＵＴＲＡＮ（ＵＴＭＳ  Ｔｅｒｒｅｓｔｒｉａｌ  Ｒａｄｉｏ  Ａｃｃｅｓｓ  Ｎｅｔｗｏｒｋ）、ＧＳＭ（登録商標）、ＧＳＭ（登録商標）  ＥＤＧＥ  Ｒａｄｉｏ  Ａｃｃｅｓｓ  Ｎｅｔｗｏｒｋ（ＧＥＲＡＮ）、Ｗｉｒｅｌｅｓｓ  Ｆｉｄｅｌｉｔｙ（ＷｉＦｉ）、Ｇｅｎｅｒａｌ  Ｐａｃｋｅｔ  Ｒａｄｉｏ  Ｓｅｒｖｉｃｅ（ＧＰＲＳ）、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）、Ｈｉｇｈ  Ｓｐｅｅｄ  Ｐａｃｋｅｔ  Ａｃｃｅｓｓ（ＨＳＰＡ）およびｌｏｎｇ−ｔｅｒｍ  ｅｖｏｌｕｔｉｏｎ（ＬＴＥ）を含む。これらのＲＡＴに基づく他のＲＡＴまたは他のネットワーク技術は、従来技術に近いものであってもよい。
【０００８】
セル間干渉調整（ＩＣＩＣ）は、セル間干渉が順調に維持されるように、無線リソースを管理するタスクを有する。ＩＣＩＣメカニズムは、周波数領域コンポーネントおよび時間領域コンポーネントを有する。ＩＣＩＣは、本質的に複数のセルからの情報（たとえばリソースの使用状況およびトラフィック負荷状況）を考慮する必要がある複数のセルの無線リソース管理（ＲＲＭ）機能である。アップリンクおよびダウンリンクにおいて好適なＩＣＩＣ方法は異なってもよい。
【０００９】
周波数領域のＩＣＩＣは、無線リソース、特に無線リソースブロックを管理し、複数のセルが周波数領域リソースの使用を調整する。
【００１０】
時間領域のＩＣＩＣのために、異なるセルにわたるサブフレームの使用は、バックホールシグナリングまたはいわゆるほぼ空のサブフレーム（Ａｌｍｏｓｔ  Ｂｌａｎｋ  Ｓｕｂｆｒａｍｅ）パターンのＯＡＭ構成を介して調整される。アグレッサーセルのＡｌｍｏｓｔ  Ｂｌａｎｋ  Ｓｕｂｆｒａｍｅｓ（ＡＢＳ）は、強いセル間干渉を受けているヴィクティムセルにおけるサブフレームのリソースを保護するために用いられる。Ａｌｍｏｓｔ  Ｂｌａｎｋ  Ｓｕｂｆｒａｍｅのサブフレームは、いくつかの物理チャネル上の減少した伝送電力（伝送しないことを含む）および／または減少したアクティビティを伴うサブフレームである。
【００１１】
リファレンス信号受信電力（Ｒｅｆｅｒｅｎｃｅ  ｓｉｇｎａｌ  ｒｅｃｅｉｖｅｄ  ｐｏｗｅｒ：ＲＳＲＰ）は、考慮される測定周波数帯域幅におけるセルに特有のリファレンス信号を搬送するリソース要素の電力の寄与（［Ｗ］）の線形平均である。
【００１２】
ＲＳＲＰの判断のために、セルに特有のリファレンス信号Ｒ０が使用される。Ｒ１が利用可能であることをＵＥが確実に検出できる場合、ＲＳＲＰの判断のためにＲ０に加えてＲ１を使用できる。
【００１３】
ＲＳＲＰのためのリファレンスポイントは、ＵＥのアンテナコネクタである。
【００１４】
受信器のダイバーシティがＵＥによって使用中である場合、報告される値は個々のダイバーシティブランチのいずれの対応するＲＳＲＰよりも低くない。
【００１５】
テストにおいて、同じＲＦチャンネルに３つの同期セルであるセル１、セル２、およびセル３が存在する。
【００１６】
全てのテストケースにおいて、セル１はサービングセル（ＰＣｅｌｌ）であり、セル３に対するアグレッサーセルである。セル２は、セル３に対する近傍のアグレッサーセルである。セル３は、ＲＳＲＰの絶対精度のために測定されるセルであり、セル１およびセル３の両方はＲＳＲＰの相対精度のために測定される。
【００１７】
ＲＲＭのＲＳＲＰの精度のテストケースは、セルを交換する。
【００１８】
切り換えられるセルの周波数は、指定されるような周波数帯域幅である。
【００１９】
セルの周波数は切り換えられて、各々の構成のためにテストされる。
【発明の概要】
【発明が解決しようとする課題】
【００２０】
本発明の目的は、ＬＴＥ測定のＲＳＲＰの精度のテストケースのための無線リソース管理（ＲＲＭ）のさらに強化された非ＣＡベースのＩＣＩＣのセル間における交換のための方法を提供することである。
【課題を解決するための手段】
【００２１】
本発明の一態様において、ＩＣＩＣを使用する無線通信システムのための無線通信方法が提供される。ＩＣＩＣは、ＬＴＥ測定のＲＳＲＰの精度のための非ＣＡベースのものである。無線通信方法は、ＲＳＲＰの同一周波数内測定テストのＲＳＲＰの精度のために第１の周波数を有するサービングセルと、第２の周波数を有する近傍のアグレッサーセルとを切り換えることを含む。
【００２２】
本発明の他の態様において、ｅＮＢおよびマルチモードＵＥを含む無線通信システムのための無線通信方法が提供される。無線通信方法は、伝送器によって、周期的な測定を送信し、信号強度を測定し、受信器によって、マルチモードＵＥによってサービングセルおよび近傍のセルから受信された信号の測定に関するレポートを受信することを含む。信号強度の測定は、マルチモードＵＥに測定レポートを送信させる条件を生成することを含む。受信器によって受信される信号の測定に関するレポートは、セルを交換するためのパラメータを含む。
【００２３】
本発明さらに他の態様は、複数の通信装置を含む無線通信システムを提供する。無線通信システムは、他入力他出力（ＭＩＭＯ）システムにおいて複数の通信装置と通信するように構成されるＲＦトランシーバーおよびｅＮＢを有する。ＲＦトランシーバーは、伝送器および複数の受信器を含む。ｅＮＢは、制御情報を伝送するように構成される伝送器および複数のアンテナを含む。セルは、ＬＴＥ測定のＲＳＲＰの精度のテストケースのためのＲＲＭのさらに強化された非ＣＡベースのＩＣＩＣにおいて交換されるように構成される。
【図面の簡単な説明】
【００２４】
発明は一般的な用語で記載され、添付の図面への参照がなされているが、必ずしもスケールどおりに記載されているわけではない。
【図１】本発明の一実施形態による無線通信システムのブロック図である。
【図２】本発明の一実施形態によるデータ伝送を示す図である。
【図３】本発明の一実施形態による信号強度の測定方法を示す図である。
【図４】本発明の様々な実施態様において使用可能なユーザー機器およびサービングセルを含む無線通信システムを示す図である。
【図５】サービングセル（ＰＣｅｌｌ）および近傍のセルを交換する構成を示す無線通信システムを示す図である。
【発明を実施するための形態】
【００２５】
本発明は、いくつかの発明の実施形態が示される添付の図面を参照しつつ、下記においてより完全に記載されている。本明細書において提供される図面および説明は、本発明の明確な理解に関する要素を示すために単純化されていることがあり、また、明確化の目的のために、従来の適応データ伝送システムおよび方法において認識される他の要素が除去されていると理解されるべきである。当業者は、本明細書に記載される装置、システムおよび方法を実装するために、他の要素および／またはステップは、任意および／または必須であると認識できる。しかしながら、このような要素およびステップは周知であり、それらは本発明の理解を容易にしないため、このような要素およびステップに関する議論は、本明細書において提供されないことがある。本開示は、当業者に周知の開示された要素および方法に対する全ての要素、変形および修正を本質的に含むものとみなされる。実際、これらの開示された発明は、様々な形式で実施されることができ、本明細書に記載される実施形態に限定されると解釈されてはならず、むしろ、これらの実施形態は、本開示が適用される法的要件を満たすために例示の方法により提供されるものである。同様の符号は、全体を通じて同様の要素を示す。
【００２６】
本発明の一態様において、ＩＣＩＣを使用する無線通信システムのための無線通信方法が提供される。ＩＣＩＣは、ＬＴＥ測定のＲＳＲＰの精度のための非ＣＡベースのものである。無線通信方法は、ＲＳＲＰの同一周波数内測定テストのＲＳＲＰの精度のために第１の周波数を有するサービングセルと、第２の周波数を有する近傍のアグレッサーセルとを切り換えることを含む。
【００２７】
いくつかの実施形態において、ＲＳＲＰの精度は、絶対精度である。
【００２８】
いくつかの実施形態において、ＲＳＲＰの精度は、相対精度である。
【００２９】
いくつかの実施形態において、方法はサービングセルの第１の周波数を切り換えてテストし、近傍のアグレッサーセルの第２の周波数を切り換えてテストすることをさらに含む。
【００３０】
いくつかの実施形態において、サービングセル（ＰＣｅｌｌ）および近傍のアグレッサーセルは、ＲＳＲＰの同一周波数内測定テストの絶対精度のために切り換えられる。
【００３１】
様々な実施形態において、サービングセル（ＰＣｅｌｌ）および近傍のアグレッサーセルは、ＲＳＲＰの同一周波数内測定テストのＲＳＲＰの相対精度のために切り換えられる。
【００３２】
いくつかの実施形態において、サービングセルおよび近傍のアグレッサーセルの周波数は、各々の構成用に切り換えられてテストされる。いくつかの実施形態において、切り換えられるセルの周波数は、指定されるような周波数帯域幅である。
【００３３】
本発明の他の態様において、ｅＮＢおよびマルチモードＵＥを含む無線通信システムのための無線通信方法が提供される。無線通信方法は、伝送器によって、周期的な測定を送信し、信号強度を測定し、受信器によって、マルチモードＵＥによってサービングセルおよび近傍のセルから受信された信号の測定に関するレポートを受信することを含む。信号強度の測定は、マルチモードＵＥに測定レポートを送信させる条件を生成することを含む。受信器によって受信される信号の測定に関するレポートは、セルを交換するためのパラメータを含む。
【００３４】
図１は、このような測定が発生する状況を示す。ＵＥは、マクロ技術ネットワークからマイクロ技術ネットワークへ移動している。マクロ技術ネットワークは、ｅＮＢまたは類似する構成を含む。ＵＥは、ｅＮＢを介してアプリケーションを実行するマクロ技術に従うことができる。すなわち、ｅＮＢは、ＵＥにデータを伝送する、あるいはＵＥと通信する。
【００３５】
方法は、周期的な測定を送信するように構成される伝送器を含みうる。
【００３６】
図２は、ｅＮＢからＵＥへのデータ伝送の詳細を示す図である。データ伝送は、データが伝送されないおよび伝送される伝送ピリオドで区切られるデータ列の集合から構成される。データ列は、ユーザーに指示されたデータ伝送の種類を表現できる。データが伝送されない期間に、ＵＥは受信する信号の強度を測定できる。第１の技術において、信号強度を測定する方法が提供される。この方法は、マルチモードＵＥが測定されることを含む。この技術の代替として、信号強度を測定する方法が提供される。この方法は、トラフィック負荷パフォーマンスの追跡および監視のための周期的な測定を含む。
【００３７】
いくつかの実施形態において、マルチモードＵＥは、通信システムにおける信号強度の測定を促進するように構成されるプロセッサーを含む。
【００３８】
マルチモードＵＥは、全ての目的のために参照により本明細書に含まれる、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）、Ｔｅｃｈｎｉｃａｌ  Ｓｐｅｃｉｆｉｃａｔｉｏｎ  Ｇｒｏｕｐ（ＴＳＧ）Ｔｅｒｍｉｎａｌｓ、Ｍｕｌｔｉ−Ｍｏｄｅ  ＵＥ  Ｉｓｓｕｅｓ、Ｃａｔｅｇｏｒｉｅｓ、Ｐｒｉｎｃｉｐｌｅｓ  ａｎｄ  Ｐｒｏｃｅｄｕｒｅｓ（３Ｇ  ＴＲ  ２１．９１０）において定義または提供されるいかなる種類のマルチモードＵＥでもよい。ＲＡＴまたは異なる種類のＲＡＴを使用しうるネットワーク技術の例は、ＵＴＲＡＮ（ＵＴＭＳ  Ｔｅｒｒｅｓｔｒｉａｌ  Ｒａｄｉｏ  Ａｃｃｅｓｓ  Ｎｅｔｗｏｒｋ）、ＧＳＭ（登録商標）、ＧＳＭ（登録商標）  ＥＤＧＥ  Ｒａｄｉｏ  Ａｃｃｅｓｓ  Ｎｅｔｗｏｒｋ（ＧＥＲＡＮ）、Ｗｉｒｅｌｅｓｓ  Ｆｉｄｅｌｉｔｙ（ＷｉＦｉ）、Ｇｅｎｅｒａｌ  Ｐａｃｋｅｔ  Ｒａｄｉｏ  Ｓｅｒｖｉｃｅ（ＧＰＲＳ）、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）、Ｈｉｇｈ  Ｓｐｅｅｄ  Ｐａｃｋｅｔ  Ａｃｃｅｓｓ（ＨＳＰＡ）およびｌｏｎｇ−ｔｅｒｍ  ｅｖｏｌｕｔｉｏｎ（ＬＴＥ）を含む。これらのＲＡＴに基づく他のＲＡＴまたは他のネットワーク技術は、従来技術に近いものであってもよい。
【００３９】
図３は、様々なキャリアの能力の実装に従うＵＥのマルチモードＵＥの強度を測定する方法の実施形態を示す。ＵＥは、測定リポートを送信する。
【００４０】
図４は、無線通信システムのためのサービングセルおよびマルチモードＵＥを動作させる方法を示すフローチャートである。サービングセルは、ＵＥがセルに各ＵＥの能力およびＤＬ信号測定を通知するセルにおける少なくとも１つのマルチモードＵＥに、少なくとも１つのメッセージを伝送し、たとえば、サービングセルのＲＳＲＰおよび候補となる近傍のセルのＲＳＲＰであり、それはマクロセルおよび／またはミクロ／ピコ／フェムトセルでありうる。少なくとも一つのメッセージは、様々なキャリアの実装に従いパラメータを決定する際にマルチモードＵＥによって使用されるパラメータの値を含む。
【００４１】
ネットワークの信号強度を測定する多くの方法がある。一般に、信号強度は、リファレンスアンテナによって受信される信号の長さあたりの電圧または実効電力として表される。電界のジオメトリおよび放射抵抗と同様に伝送アンテナに搬送される電力が知られている場合、信号の電力が計算されうる。
【００４２】
いくつかの実施形態において、測定は周期的である。測定は、データが伝送されないときにも発生しうる。
【００４３】
いくつかの実施形態において、マルチモードＵＥは、より高いデータレートを要求するアプリケーションを実行する通信システムにおける信号強度の測定を促進するように構成されるプロセッサーを含む。
【００４４】
いくつかの実施形態において、マルチモードＵＥに測定レポートを送信させる条件は、信号強度が所定の閾値よりも低いことである。条件は、周期的または単一のイベントのいずれとして記述されてもよい。
【００４５】
さらに他の態様において、本発明は複数の通信装置を含む無線通信システムを提供する。無線通信システムは、他入力他出力（ＭＩＭＯ）システムにおいて複数の通信装置と通信するように構成されるＲＦトランシーバーおよびｅＮＢを有する。ＲＦトランシーバーは、伝送器および複数の受信器を含む。ｅＮＢは、制御情報を伝送するように構成される伝送器および複数のアンテナを含む。セルは、ＬＴＥ測定のＲＳＲＰの精度のテストケースのためのＲＲＭのさらに強化された非ＣＡベースのＩＣＩＣにおいて交換されるように構成される。
【００４６】
無線通信システムのいくつかの実施形態において、ＲＳＲＰの精度は、絶対精度である。
【００４７】
無線通信システムのいくつかの実施形態において、ＲＳＲＰの精度は、相対精度である。
【００４８】
図５は、ＬＴＥ測定のＲＳＲＰの精度のテストケースのための無線リソース管理（ＲＲＭ）のさらに強化された非ＣＡベースのＩＣＩＣのセル間における交換のための方法の実施形態を示す。サービングセル（ＰＣｅｌｌ）および近傍のアグレッサーセルは、ＲＳＲＰの同一周波数内測定テストの絶対精度のために切り替えられる。サービングセル（ＰＣｅｌｌ）および近傍のアグレッサーセルは、ＲＳＲＰの同一周波数内測定テストのＲＳＲＰの相対精度のために切り替えられる。
【００４９】
本発明は、典型的な形式においてある程度具体的に説明および図示されているが、記載や図面は例示のためだけに作成されていることに留意されたい。具体的な用語が本明細書において使用されたとしても、それらは一般的かつ説明的な意味として使用されているだけであり、限定の目的で使用されているものではない。構成の詳細や、要素やステップの結合および変更について様々な変更を行うことが可能である。したがって、このような変更は、特許請求の範囲によって範囲が定められる本発明に含まれるものとする。
【図１】
2017509225.tif 000003
【図２】
2017509225.tif 000004
【図３】
2017509225.tif 000005
【図４】
2017509225.tif 000006
【図５】
2017509225.tif 000007
【国際調査報告】
2017509225.tif 000008
2017509225.tif 000009